(57)【特許請求の範囲】
【請求項１】
互いに嵌合可能なコネクタハウジングのうちいずれか一方には、前後方向に貫通して形成されたキャビティを有し、このキャビティ内部には端子金具に係止するランスが撓み可能に設けられた本体部と、その本体部の前部に冠着可能なフード部を有し、前記端子金具を挿抜自在な仮係止位置と端子金具を抜け止め状態に保持する本係止位置との間で前後動可能なキャップとを備えたコネクタであって、
前記本体部においてキャビティを構成する側壁の一部には切欠き部が形成される一方、
前記キャップの前記フード部における前面壁の内面側には、前記キャップが前記仮係止位置にあるときには前記ランスの撓み空間の前方に退避し、前記キャップが本係止位置にあるときには前記撓み空間内へ入り込んで前記ランスの撓み変形を規制可能な撓み規制部が平板状に突出形成され、
また、この撓み規制部と同一突出長さを有して撓み規制部の一側縁に対して直交するようにして連結された平板状のキャップ係止部が、前記前面壁の内面に連結して形成され、かつ前記フード部から内方へ離間した位置に設けられるとともに、このキャップ係止部における、前記撓み規制部と連結されている側縁と反対側の端縁部の内面側にはキャップ係止突部が突出して形成され、このキャップ係止突部が設けられている部分は、前記キャップが本係止位置に移動するときに外方へ捲り上がるように撓み変形しつつ復帰し、前記キャップ係止突部が前記切欠き部の端部に係止することにより前記キャップを本係止位置に保持可能となっていることを特徴とするコネクタ。
【発明の詳細な説明】
【技術分野】
【０００１】
本発明は、コネクタに関する。
【背景技術】
【０００２】
キャップ状のリテーナを備えたコネクタの一般的構造としては、下記特許文献１に記載のものが知られている。このものは、前後方向に貫通するキャビティを備えたコネクタハウジングを有し、このコネクタハウジングの前面にはキャップ状のリテーナが装着可能となっている。リテーナの外面には弾性係止片が設けられ、コネクタハウジングの外面には弾性係止片に係止可能な係止突起が設けられることによって、リテーナをコネクタハウジングの前面に固定することが可能となっている。
【特許文献１】特開２０００−１８２７０６公報
【発明の開示】
【発明が解決しようとする課題】
【０００３】
しかしながら、このものは外部からの衝撃等によって係止部が損傷するおそれがある。本発明は上記のような事情に基づいて完成されたものであって、外部からの衝撃によって係止部が損傷しないように保護することを目的とする。
【課題を解決するための手段】
【０００４】
上記の目的を達成するための手段として、請求項１の発明は、互いに嵌合可能なコネクタハウジングのうちいずれか一方には、前後方向に貫通して形成されたキャビティを有し、このキャビティ内部には端子金具に係止するランスが撓み可能に設けられた本体部と、その本体部の前部に冠着可能なフード部を有し、前記端子金具を挿抜自在な仮係止位置と端子金具を抜け止め状態に保持する本係止位置との間で前後動可能なキャップとを備えたコネクタであって、前記本体部においてキャビティを構成する側壁の一部には切欠き部が形成される一方、前記キャップの前記フード部における前面壁の内面側には、前記キャップが前記仮係止位置にあるときには前記ランスの撓み空間の前方に退避し、前記キャップが本係止位置にあるときには前記撓み空間内へ入り込んで前記ランスの撓み変形を規制可能な撓み規制部が平板状に突出形成され、また、この撓み規制部と同一突出長さを有して撓み規制部の一側縁に対して直交するようにして連結された平板状のキャップ係止部が、前記前面壁の内面に連結して形成され、かつ前記フード部から内方へ離間した位置に設けられるとともに、このキャップ係止部における、前記撓み規制部と連結されている側縁と反対側の端縁部の内面側にはキャップ係止突部が突出して形成され、このキャップ係止突部が設けられている部分は、前記キャップが本係止位置に移動するときに外方へ捲り上がるように撓み変形しつつ復帰し、前記キャップ係止突部が前記切欠き部の端部に係止することにより前記キャップを本係止位置に保持可能となっているところに特徴を有する。
【発明の効果】
【０００８】
請求項１の発明によると、キャップ係止部はキャップのフード部から内方へ離間した位置に設けられているから、外部からの衝撃によってキャップ係止部が損傷しないように保護される。
また、キャップ係止部は、撓み規制部と前面壁とに連結して設けられるから、キャップ係止部の弾性反力が高くなり、本体部との係止力を高めることができる。
【発明を実施するための最良の形態】
【００１２】
＜実施形態１＞
本発明の実施形態１を図１ないし図８によって説明する。本実施形態におけるコネクタは、コネクタハウジング１とリテーナ（本発明におけるキャップに相当する。）２とを備えている。コネクタハウジング１は合成樹脂製で、断面横長略方形のブロック状をなす本体部３と、本体部３の外周面に沿って筒状をなす外筒部４とからなる。尚、外筒部４の外面のうち左右方向両側には、一対の取付部９，９が突出して設けられている（図１や図２においては、切断箇所が異なっているため、対称には表れない。）。また、外筒部４において取付部９が設けられている面と直交する面には、図６に示すように、両コネクタハウジングの嵌合操作時における倍力機構として用いられるレバーを装着するための装着壁１０が外筒部４の外面と対向状態で設けられている。装着壁１０の内面には、レバーを回動可能に軸支するための回動軸１１が内方に向けて突出して設けられている。
【００１３】
本体部３の内部には、図６に示すように、前後方向（図６における紙面と直交する方向を基準として紙面手前側を前方とする。）に貫通する大小２種類のキャビティ５，６が複数個形成されている。図６における本体部３の略左半分には、相対的に大きめに形成された図示５個の大キャビティ６が上下２段に分かれて配され、本体部３の略右半分には、相対的に小さめに形成された図示１７個の小キャビティ５が上下４段に分かれて配されている。一方、本体部３の外周面の奥部には、図２に示すゴム栓７が全周方向に沿って嵌着可能とされている。ゴム栓７は、リテーナ２の後述するフード部２３の後端縁によって抜止め可能とされており、ゴム栓７の外周面には、全周方向に亘って突出する図示２個のリップ８が周設されている。本体部３の外周面と外筒部４の内周面との間には、図示しない相手側コネクタハウジングの筒状嵌合部が進入可能となっており、リップ８が本体部３の外周面と筒状嵌合部の内周面との間において挟持されることによって、本体部３の内部に水が浸入することが規制される。
【００１４】
大小２種類のキャビティ５，６は、互いにほぼ同じ内部構造を有し、前後方向に貫く軸心を回動軸として１８０°回転させた配置となっている。以下の説明において、両キャビティ５，６が共通する構造の説明においては、小キャビティ５のみについて行い、その場合には、単にキャビティ５，６と記載する。キャビティ５，６内には、後方から図示しない端子金具が挿入可能となっており、端子金具はキャビティ５，６の前端部５Ａ，６Ａによって前止まりされる。キャビティ５，６の後方部分は、本体部３の後面から後方に突出する円筒状をなし、この中には、図示しない電線とともに端子金具の図示しないバレル部によって圧着された図示しないゴム栓が圧縮状態で挿入可能となっており、キャビティ５，６の後方から本体部３の内部に水が浸入することが規制される。
【００１５】
小キャビティ５の前端側は、図１に示すように、大キャビティ６の前面より前方に突出しており、この突出した部分における隣り合う小キャビティ５間には、後述する仕切壁２１を収容するための逃がし溝１８が形成されている。一方、小キャビティ５の内部における底面部には、片持ち状に前方に向けて突出する形態であって、上下方向に撓み可能なランス５Ｂが形成されている。但し、小キャビティ５の底面部のうちランス５Ｂに面した部分は、図３に示すように、その底面部の奥部を残して前方がえぐられており、ランス５Ｂの撓み空間５Ｃが前方に臨んでいる。また、小キャビティ５間の隔壁のうちランス５Ｂの左右両側部分も同様にえぐられている。すなわち、ランス５Ｂは、ランス５Ｂを囲む内壁がえぐられることにより、前方に剥き出しとなった状態とされている。一方、大キャビティ６の上面部には、片持ち状に前方に向けて突出する形態であって、上下方向に撓み可能なランス６Ｂが形成されている。端子金具がキャビティ５，６の後方から挿入されて前端部５Ａ，６Ａによって前止まりされる正規挿入位置にまで至ると、ランス５Ｂ，６Ｂが端子金具に弾性的に係止して後方に抜止めされた状態に保持されるようになっている。
【００１６】
小キャビティ５の前端部５Ａには、図６に示すように、相手側コネクタハウジングの図示しない雄タブを小キャビティ５内に挿入するための雄タブ挿通孔１２が開口している。尚、雄タブ挿通孔１２の前面孔縁部には、雄タブを小キャビティ５内に誘導するための傾斜面５Ｄが内方に向けて下り勾配をなすようにして形成されている。  
大キャビティ６の前端部６Ａには、小キャビティ５と同様にして、図示しない相手側の雄タブを大キャビティ６の内部に進入させるための雄タブ挿通孔１９が開口している。また、前端部６Ａにおいてランス６Ｂの撓み空間６Ｃの前方には、規制部挿通孔１４が開口している。規制部挿通孔１４は後述する撓み規制片１３を大キャビティ６の内部に進入させるための挿通孔であり、撓み規制片１３がランス６Ｂの撓み空間６Ｃ内に入り込んでランス６Ｂの撓み規制を行うようになっている。また、雄タブ挿通孔１９と規制部挿通孔１４とは連通しており、両挿通孔１９，１４の連通空間にはランス６Ｂが前方から臨むようになっている。図１に示す左から１列目の大キャビティ６（本体部３の左側面を構成する大キャビティ６）と２列目の大キャビティ６との間には、本体部３の前面から後方に向けて除肉することにより、前方に開口する肉抜き２４が形成されている。
【００１７】
全小キャビティ５のうち所定位置にあるものは、図１に示すように、切欠き部１５を備えている。切欠き部１５は、詳細には、図１に示す右から１列目の小キャビティ５（本体部３の右側面を構成する小キャビティ５）の右側面部、２列目の小キャビティ５の右側面部および４列目の小キャビティ５の左側面部において、前端部５Ａのやや後方部分から後方に向けて直線状に切り欠くことによって形成されている。尚、右から１列目の小キャビティ５の切欠き部１５については、他の切欠き部１５よりも後方に向けて長めに切り欠かれている。これらの切欠き部１５は、小キャビティ５の内壁を貫通して設けられ、右から２列目と４列目の小キャビティ５の切欠き部１５については、小キャビティ５の内部と上記したえぐられた部分とを連通させている。
【００１８】
一方、全大キャビティ６のうち肉抜き２４に隣り合うものは、切欠き部１６を備えている。切欠き部１６は、詳細には、図１に示す左から１列目の大キャビティ６（本体部３の左側面を構成する大キャビティ６）の左側面部と肉抜き２４の内側面を構成する両側面部において、前端部６Ａのやや後方部分から後方に向けて直線状に切り欠くことによって形成されている。尚、左から１列目の大キャビティ６の切欠き部１６については、他の切欠き部１６よりも後方に向けて長めに切り欠かれている。これらの切欠き部１６は、大キャビティ６の内壁を貫通して設けられ、大キャビティ６の内部と肉抜き２４とを連通させている。
【００１９】
リテーナ２は合成樹脂製で、本体部３の前面に冠着可能なキャップ状に形成されている。このリテーナ２は、その内部に本体部３を嵌合可能なフード部２３と、そのフード部２３の前面に形成された前面壁（本発明における区画壁に相当する。）１７とを有している。リテーナ２を本体部３の前面に冠着するに際して、前面壁１７においてキャビティ５，６と対応する位置には、図５に示すように、雄タブ挿入孔２０が前後方向に貫通して設けられている。小キャビティ５側の雄タブ挿入孔２０は、仕切壁２１によって区画されて格子状に配されている。また、小キャビティ５側の雄タブ挿入孔２０の内部には小キャビティ５の前端側の突出した部分が嵌合するようになっている。
【００２０】
前面壁１７の内面において大キャビティ６の規制部挿通孔１４と対応する位置には、撓み規制片１３が後方に向けて突出して設けられている。この撓み規制片１３は、規制部挿通孔１４を通じてランス６Ｂの撓み空間６Ｃ内に進入可能とされている。さらに、前面壁１７の内面において肉抜き２４と対応する位置には、区画リブ２５が後方に向けて突出して設けられている。区画リブ２５の後端のうち切欠き部１６に対応する高さ位置には、突部２５Ａが形成されており、肉抜き２４の内部に進入して切欠き部１６の前縁と係止可能となっている。
【００２１】
左右方向に延びる仕切壁２１の内面において小キャビティ５側の雄タブ挿入孔２０の下方には、撓み規制部２１Ａが後方に向けて突出して設けられている。左右方向に隣り合う撓み規制部２１Ａは互いに連結されて、全体として横方向に長い一枚板状とされている。また、仕切壁２１において雄タブ挿入孔２０と撓み規制部２１との間には、ランス５Ｂの解除操作を行う図示しない解除治具を挿入するための治具挿入孔２０Ａが前後方向に貫通して設けられている。さらに、治具挿入孔２０Ａの下縁から撓み規制部２１Ａの前後方向略中央にかけては、治具挿入孔２０Ａと同一幅をもって切り欠かれている。この切り欠きによって、撓み規制部２１Ａは取付強度が低下することになるため、撓み規制部２１Ａには、次述する補強リブ２１Ｂが設けられている。
【００２２】
上下方向に延びる仕切壁２１の内面には、補強リブ２１Ｂが後方に向けて突出して設けられている。補強リブ２１Ｂは、前後方向において撓み規制部２１Ａと同一突出高さを有し、撓み規制部２１Ａと補強リブ２１Ｂが互いに直交する方向に連結されることで、撓み規制部２１Ａが上下方向に撓み変形するのを規制するように補強している。全補強リブ２１Ｂのうちリテーナ２を本体部３の前面に冠着する際に上記したえぐられた部分と対応する補強リブ２１Ｂについては、その下縁側が撓み規制部２１Ａの上面と連結されており、そのえぐられた部分を閉止する構成とされている。これとともに、撓み規制部２１Ａは、ランス５Ｂの撓み空間５Ｃ内に入り込んでランス５Ｂの撓み変形を規制するようになっている。
【００２３】
フード部２３の側面において小キャビティ５と対応する側の短辺位置には、上下一対の仮係止撓み片２２が配されている。仮係止撓み片２２は、図３に示すように、フード部２３の前縁（前面壁１７の外周縁）から後方に向けて切り欠くことにより開口２６を設けておき、開口２６の内部において開口２６の前後両端に接続することにより、前後方向に長い両持ち状をなし、かつ内外方向に撓み可能に形成されている。両仮係止撓み片２２の内側後端部には、突部２２Ａが内方に突出して設けられ、図６に示す本体部３の右側面を構成する小キャビティ５のうち、上から１段目と４段目の小キャビティ５の切欠き部１５の前縁に対して係止可能となっている。仮係止撓み片２２の突部２２Ａが切欠き部１５の前縁に係止する位置（仮係止位置）では、撓み規制片１３および撓み規制部２１Ａがランス５Ｂ，６Ｂの撓み空間５Ｃ，６Ｃより前方に待避してランス５Ｂ，６Ｂの撓み変形が許容された状態にあって、リテーナ２が本体部３から前方へ外れるのを規制している。
【００２４】
一方、フード部２３の側面において大キャビティ６と対応する側の短辺位置には、仮係止突部２７が配されている。仮係止突部２７は、前後方向に細長い形状のスリットを上下方向に対向状態で設けて、これらのスリットによって囲まれた領域をブリッジ片３０とし、このブリッジ片３０の内面側において、前後方向に沿って突条３０Ａを設けて、この突条３０Ａの後端を内方に突出した形状とすることにより形成されている。仮係止突部２７は、リテーナ２が仮係止位置にあるときに大キャビティ６の切欠き部１６の前縁に係止可能となっており、仮係止撓み片２２とともにリテーナ２が本体部３から前方へ外れるのを規制している。尚、ブリッジ片３０の突条３０Ａは、リテーナ２が後述する本係止位置にあるときには、図２に示すように、切欠き部１６内に入り込んで大キャビティ６の内壁の一部を構成するようになっている。
【００２５】
全補強リブ２１Ｂのうち上から１段目と２段目の撓み規制部２１Ａの両側縁のうちフード部２３の左側面（フード部２３の側面において小キャビティ５と対応する側の短辺側の側面）と対向する側縁は、略方形の板状をなす一対のキャップ係止部２８，２８とされている。キャップ係止部２８は、前後方向において撓み規制部２１Ａと同一突出高さを有し、その外周縁のうち互いに直交する両側縁がフード部２３の内部と連結されている。すなわち、本実施形態においてキャップ係止部２８は、その前縁が前面壁１７の内面と連結され、その上縁が撓み規制部２１Ａの左側縁と連結されている。そのため、キャップ係止部２８は、その後縁下端側を自由端として捲り上がるようにして撓み変形可能とされている。その撓み空間は、キャップ係止部２８とフード部２３の左側面との間に保有されている。キャップ係止部２８の下縁（撓み規制片１３に連結された側縁と対向する側縁）における雄タブ挿入孔２０に面した側縁部であって前後方向略中央には、キャップ係止突部２８Ａが突出して設けられている。両キャップ係止突部２８Ａ，２８Ａは、本体部３の側面において小キャビティ５と対応する側の短辺を構成する小キャビティ５のうち上から２段目と３段目の小キャビティ５の切欠き部１５の前縁に対して係止可能となっている。
【００２６】
キャップ係止突部２８Ａが切欠き部１５の前縁に係止する位置（本係止位置）では、撓み係止片１３がランス５Ｂ，６Ｂの撓み空間５Ｃ，６Ｃ内に入り込んでランス５Ｂ，６Ｂの撓み変形が規制された状態にあって、リテーナ２が仮係止位置へ移動するのを規制している。尚、リテーナ２が本係止位置にあるときには、図４に示すように、仮係止撓み片２２の突部２２Ａが切欠き部１５内に収容可能となるように、本体部３の右側面（本体部３の側面のうち小キャビティ５と対応する側の短辺側）を構成する小キャビティ５の切欠き部１５の後端位置が設定されている。また、全補強リブ２１Ｂのうち本体部３の右側面から２列目と４列目の小キャビティ５の切欠き部１５の前縁と対応する位置には、本係止突部２９が内方に突出して設けられており、リテーナ２が本係止位置にあるときに、本係止突部２９は切欠き部１５の前縁に係止するようになっている。
【００２７】
本実施形態は以上のような構造であって、続いてその作用を説明する。  
まず、端子金具を後方からキャビティ５，６の内部に挿入する。端子金具は正規挿入位置まで挿入されると、前端部５Ａ，６Ａによって前止まりされるとともに、ランス５Ｂ，６Ｂが係止することによって後方へ抜止めされた状態に保持される。  
上記に先立って、リテーナ２はコネクタハウジング１の本体部３の前面に組み付けられて、仮係止位置まで押し込まれる。リテーナ２の押し込みに際しては、リテーナ２の仮係止撓み片２２が小キャビティ５の前端部に当接し、外方に撓み変形しつつ小キャビティ５の前端部を乗り越えると復帰し、切欠き部１５の前縁に係止する。これとともに、仮係止突部２７が大キャビティ６の前端部に当接し、外方に撓み変形しつつ大キャビティ６の前端部を乗り越えると復帰し、切欠き部１６の前縁に係止する。こうして、リテーナ２が仮係止位置に到達すると、撓み規制片１３と撓み規制部２１Ａとが撓み空間５Ｃ，６Ｃの前方に待避した位置にあって、リテーナ２が仮係止撓み片２２の突部２２Ａと仮係止突部２７とによって前方へ抜止めされた状態に保持される。
【００２８】
次に、仮係止位置にあるリテーナ２を本係止位置まで押し込む。リテーナ２の押し込みに際しては、区画リブ２５の突部２５Ａが肉抜き孔２４の前端部に当接し、肉抜き孔２４の両内側面を左右方向に拡開変形させつつ、肉抜き孔２４の内部に入り込み肉抜き孔２４の両内側面が復帰すると、切欠き部１６の前縁に係止する。これとともに、キャップ係止部２８のキャップ係止突部２８Ａが小キャビティ５の前端部に当接し、外方に撓み変形しつつ小キャビティ５の前端部を乗り越えると復帰し、切欠き部１５の前縁に係止する。また、本係止突部２９も同様に、小キャビティ５の前端部に当接し、外方に撓み変形しつつ小キャビティ５の前端部を乗り越えると復帰し、切欠き部１５の前縁に係止する。この間、補強リブ２１Ｂは、上記したえぐられた部分を閉止しつつ、撓み規制片１３と撓み規制部２１Ａとは、それぞれランス５Ｂ，６Ｂの撓み空間５Ｃ，６Ｃ内に入り込んで、ランス５Ｂ，６Ｂの撓み変形を規制する。こうして、リテーナ２が本係止位置に到達すると、撓み規制片１３と撓み規制部２１Ａによって端子金具が二重で抜止めされた状態に保持されるとともに、区画リブ２５の突部２５Ａとキャップ係止突部２８Ａと本係止突部２９とによって、リテーナ２が本係止位置に保持される。
【００２９】
以上のように本実施形態においては、フード部２３の内側に配されたキャップ係止部２８が小キャビティ５の切欠き部１５に係止されるようにしたから、外部からの衝撃によってキャップ係止部２８が損傷しないように保護することができる。また、小キャビティ５の側面を構成する内壁の一部を切り欠くことにより切欠き部１５を設け、キャップ係止部２８が切欠き部１５に係止するようにしたから、小キャビティ５を構成する内壁の外面に突起を設けておき、この突起に対してキャップ係止部２８が係止するものに比べると、小型化が可能である。さらに、キャップ係止部２８は、小キャビティ５と対応する側のフード部２３の短辺位置より内側において撓み可能としたから、キャップ係止部２８の保護がより確実となる。これらに加えて、キャップ係止部２８は、その前縁と上縁がそれぞれ前面壁１７と撓み規制部２１Ａとに連結するから、キャップ係止部２８の弾性反力が高まり、切欠き部１５に対する係止力を高めることが可能となる。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３２】
（２）本実施形態においては、キャビティ５，６の内壁を貫通するようにして切欠き部１５，１６を形成しているが、本発明によれば、引っ掛けて係止させる構造をとるにあたっては、必ずしも貫通する必要はない。
【００３３】
（３）本実施形態においては、フード部２３の内面とキャップ係止部２８との間にキャップ係止部２８の撓み空間を設けるようにしているが、本発明によれば、キャップ係止部２８がフード部２３の内部に設けられていればよく、キャップ係止部２８の撓み空間はフード部２３の外部に及んでもよい。
【００３４】
（４）本実施形態においては、キャップ係止部２８は、前面壁１７と撓み規制部２１Ａとの双方に連結して設けられているが、いずれか一方に連結されているものでもよく、要は、キャップ係止部２８をフード部２３の内部に設けたものであればキャップ係止部２８を設ける位置は前面壁１７および撓み規制部２１Ａに限定されない。
【００３５】
（５）本実施形態においては、切欠き部１５，１６は、キャビティ５，６を構成する内壁を貫通することにより設けられているが、区画リブ２５の突部２５Ａとキャップ係止突部２８Ａが係止可能な構造であればよく、切欠き部１５，１６を設ける場所は問わない。
【図面の簡単な説明】
【００３６】
【図１】実施形態１においてリテーナをコネクタハウジングに装着する前の状態を示す側断面図
【図２】そのリテーナを本係止位置に装着した状態を示す側断面図
【図３】そのリテーナをコネクタハウジングに装着する前の状態を示す縦断面図
【図４】そのリテーナを本係止位置に装着した状態を示す縦断面図
【図５】そのリテーナの正面図
【図６】そのコネクタハウジングの正面図
【図７】そのコネクタハウジングの一部切欠き平面図
【図８】そのコネクタハウジングの側面図
【符号の説明】
【００３７】
１…コネクタハウジング
２…リテーナ（キャップ）
３…本体部
５…小キャビティ
５Ｂ…ランス
５Ｃ…撓み空間
６…大キャビティ
１５…切欠き部
１６…切欠き部
１７…前面壁（区画壁）
２０…雄タブ挿入孔
２１Ａ…撓み規制部
２３…フード部
２８…キャップ係止部
【図１】
0004432894.tif 000002
【図２】
0004432894.tif 000003
【図３】
0004432894.tif 000004
【図４】
0004432894.tif 000005
【図５】
0004432894.tif 000006
【図６】
0004432894.tif 000007
【図７】
0004432894.tif 000008
【図８】
0004432894.tif 000009